【事件の表示】
　特願２０１５−２２７２１１「グローバル電子シャッター制御を持つイメージ読み取り装置」拒絶査定不服審判事件〔平成２８年　７月１４日出願公開、特開２０１６−１２９００９〕について、次のとおり審決する。
【結　論】
　本件審判の請求は、成り立たない。
【理　由】
第１　手続の経緯
　本願は，２００６年（平成１８年）３月７日（パリ条約による優先権主張外国庁受理２００５年３月１１日（以下，「優先権主張日」という。），米国）を国際出願日とする出願である特願２００８−５００８４４号の一部を平成２５年１月１１日に新たな特許出願とした特願２０１３−００３６１６号の一部を平成２６年３月１０日に新たな特許出願とした特願２０１４−０４６４０９号の一部を平成２７年１１月２０日に新たな特許出願としたものであって，その手続の経緯は以下のとおりである。
　平成２８年１０月１９日付け　　拒絶理由通知書
　平成２９年　３月２４日　　　　意見書，手続補正書の提出
　平成２９年　４月　５日付け　　拒絶査定
　平成２９年　８月　７日　　　　審判請求書，手続補正書の提出
　平成３０年　１月１２日付け　　拒絶理由通知書
　平成３０年　７月１３日　　　　意見書，手続補正書の提出
　平成３０年　９月１４日付け　　拒絶理由通知書
　平成３１年　１月１８日　　　　意見書，手続補正書の提出
第２　本願発明について
　本願の請求項に係る発明は，平成３１年１月１８日にされた手続補正により補正された特許請求の範囲の請求項１ないし４２に記載された事項により特定されるものであるところ，その請求項１に係る発明（以下，「本願発明」という。）は，その請求項１に記載された事項により特定される，以下のとおりのものである。
「バーコードを読み取る際に使用するための装置であって、該装置が、
　２次元イメージセンサアレイであって、前記２次元イメージセンサアレイは相補型金属酸化物半導体からなり、前記２次元イメージセンサアレイは行のピクセルを包含する、２次元イメージセンサアレイと、
　前記２次元イメージセンサアレイに光を焦点合わせする撮像レンズと、
　サポートアセンブリであって、前記サポートアセンブリは前記撮像レンズをサポートするためのレンズホルダーを包含する、サポートアセンブリと、
　照明パターンを投射するのに使用するための照明光源であって、前記照明光源が、発光ダイオードからなる、照明光源と、
　露光期間中に同時に、前記２次元イメージセンサアレイの複数の行のピクセルを露光するように配置されたグローバル電子シャッター制御モジュールであって、２次元イメージセンサアレイにおける複数の行のピクセルの露光が同時に開始されるように、グローバル電子シャッター制御モジュールが２次元イメージセンサアレイを制御するように構成される、グローバル電子シャッター制御モジュールと
を有し、
　該装置が、照明期間の間に、前記発光ダイオードを同時に駆動することができ、露光期間と照明期間との間の調整が少なくとも部分的に時間がオーバーラップする照明期間と露光期間とによって特徴づけられることを特徴とする装置。」
第３　拒絶の理由
　平成３０年９月１４日の当審が通知した拒絶理由は，次のとおりのものである。
　本願発明は，その優先権主張日前に日本国内又は外国において，頒布された下記の刊行物に記載された発明又は電気通信回線を通じて公衆に利用可能となった発明に基いて，その優先権主張日前にその発明の属する技術の分野における通常の知識を有する者が容易に発明をすることができたものであるから，特許法第２９条第２項の規定により特許を受けることができない。
引用文献１．特開２００３−１３２３０１号公報 
引用文献２．米国特許出願公開第２００５／０００１０３５号明細書 
引用文献３．特開平１０−１９８７５４号公報 
引用文献４．特開平１１−３４５２７８号公報 
引用文献５．特開２００３−８７１４８号公報 
引用文献６．特開２００２−２４０９１３号公報 
引用文献７．特開２００５−２２８０２号公報 
引用文献８．特開２００１−３５７３４５号公報 
引用文献９．特開２００３−２６０８２２号公報 
引用文献１０．特開平８−１８１８８７号公報 
引用文献１１．特開昭５９−４０６３０号公報 
第４　引用文献の記載及び引用発明
１　引用文献１の記載
（１）　引用文献１には，以下の事項が記載されている（下線は，当審で付した。以下同じ。）
「【０００１】
【発明の属する技術分野】本発明は、バーコード読み取り技術に関し、特にイメージセンサによるバーコード読み取り技術に関するものである。」
「【００１５】
【発明の実施の形態】
図1は、本発明の実施形態によるバーコード読み取り装置のブロック構成図である。
【００１６】図1において、
1は一般的な被写体像や、白黒のパターンで記載されたバーコードの被写体像をセンサー面に結像するためのレンズ部である。2から5はバーコードを照明するための赤色発光ダイオード（LED）で、イメージセンサー1の周囲に撮影対象物を十分な光量で均一に照らすために、高輝度型のものを上、下、右、左、各４個ずつ合計１６個配置してある。6は撮像素子部であり、光電変換により２次元画像を生成するためのCMOS型のイメージセンサーを用いる。7はイメージセンサー6に駆動クロックを供給するタイミング信号発生器（TG）で、システム制御部8で演算された露光時間の情報を受け、それに従ってイメージセンサー6の露光時間を可変する。
システム制御部8はLED駆動部9を通してLEDのオン、オフを制御し、また信号処理部12からのしきい値により、タイミング信号発生部に送る光電変換時間の情報と増幅器に送る増幅度情報を決定する。
【００１７】
図3は本実施形態におけるCMOS型のイメージセンサーのブロック図で、センサはｍ行×ｎ列の画素S11〜Smnから成る
【００１８】
図4は画素の詳細図で、この図で光信号電荷を発生するフォトダイオードPDはアノード側が接地されている。フォトダイオードPDのカソード側は、電荷転送スイッチTXを介して、増幅MOSトランジスタM3のゲートに接続されている。また、上記増幅MOSトランジスタM3のゲートには、これをリセットするためのリセットMOSトランジスタM1のソースが接続され、リセットMOSトランジスタM1のドレインは、リセット電圧VRに接続されている。さらに、上記増幅MOSトランジスタM3のドレインは、動作電圧VDDを供給するための行選択MOSトランジスタM2に接続されている。
【００１９】次に、本実施形態の固体撮像装置の駆動方法を図3、図4と、図5のタイミング図で説明する。
【００２０】図３の転送MOSトランジスタTXのゲートを一行目からｍ行目までの全ての画素について同時に選択する信号TXaが、各行ごとに全ての画素を選択する信号の転送パルスTX1〜TXnとのOR回路を通して各転送MOSトランジスタTXに接続されている。また、全ての画素の増幅MOSトランジスタM3のゲートを同時にリセットするために、一行目からｍ行目までの全ての画素のリセットMOSトランジスタM1のゲートを同時に選択する信号RESaが、各行ごとに全ての画素をリセットするパルスRES1〜RESnとのOR回路を通して各リセットMOSトランジスタM1に接続されている。
【００２１】この
イメージセンサにおいて、まずリセットMOSトランジスタM1のゲートへのパルスφRESa、転送MOSトランジスタTXのゲートパルスφTXaおよび、垂直信号線リセットMOSトランジスタM8のゲートへのパルスφVRESがハイレベルとなる。
増幅MOSトランジスタM3のゲートとフォトダイオードPDが電圧VRに、垂直信号線V1〜Vnが電圧VVRにリセットされる（図5のt2まで）。
【００２２】次に、
φTXaがローレベルになりフォトダイオードPDには光に応じた電荷の発生が可能になる（ｔ2）。LEDを点灯するモードではt2に先行して、制御信号φLEDがハイレベルになりLEDを点灯する(t1)。
リセットMOSトランジスタM1のゲートへのパルスφRESa、垂直信号線リセットMOSトランジスタM8のゲートパルスφVRES、がローレベルとなり、M1のゲートと垂直信号線のリセットが解除される（t3）。時刻ｔ3から所定の時間後、φTXaを再度ハイレベルにしてフォトダイオードPDの電荷を増幅MOSトランジスタM3のゲートに転送する（ｔ4）。
【００２３】
転送に十分な時間を経て、φTXaを再度ローレベルにしてフォトダイオードPDの電荷転送を終了する（ｔ5）。このとき、t2からt5の間が光電変換時間となる。LEDを点灯するモードでは、転送終了後にLEDを消灯する（t6）。
選択MOSトランジスタM2のゲートパルスφSEL1および、光信号転送MOSトランジスタM5のゲートパルスφTSがハイレベルとなる（t7）。これによって光信号電圧が光信号保持容量CTSに読み出される（t7〜t8）。
φRES1とφVRESがローレベルとなり（t10）、M1のゲートと垂直信号線のリセットが解除された後、選択MOSトランジスタM2のゲートパルスφSEL1および、ノイズ信号転送MOSトランジスタM4のゲートパルスφTNがハイレベルとなる（t11）。これによってノイズ電圧が光信号保持容量CTNに読み出される（t11〜t12）。
水平走査回路ブロックHSRからの信号H1〜Hnによって、各列の水平転送スイッチM6、M7のゲートが順次ハイレベルとなり（t14〜t15）、ノイズ保持容量CTNと光信号保持容量CTSに保持されていた電圧が順次差動回路ブロックに読み出される。差動回路ブロックでは、光信号とノイズ信号との差がとられ、出力端子VOUTに順次出力される。
【００２４】
以上で、第１行目に接続された画素セルの読み出しが完了する。
【００２５】
以下同様に、垂直走査回路ブロックVSRからの信号によって、第2行目〜第ｍ行目に接続された画素セルC21〜Cmnの信号が順次読み出され、全画素セルの読み出しが完了する。
【００２６】以上の動作説明から、このようなCMOSイメージセンサは、センサのスリープ状態から復帰する時に、一画面分の走査を必要とせず、一括リセットのみで立ち上がり完了となり、高速なパルスを必要とすることなく、低消費電力駆動が可能となり、なおかつバーコード読み取りまでのセンサの早期立ち上げを可能とする。」
【図１】
【図３】
【図４】
【図５】
（２）上記（１）から，引用文献１には，以下の事項が記載されている。
ア　引用文献１の「次に、φTXaがローレベルになりフォトダイオードPDには光に応じた電荷の発生が可能になる（ｔ2）。」（段落【００２２】）の記載，及び，【図３】における信号「φTXa」に対応する「TXa」が，OR回路を通じて全ての「画素S11〜Smn」に入力される構成の記載から，引用文献１では，【図５】のt2の時点において，全ての「画素S11〜Smn」で，【図４】に示された「画素部構成部」の「電荷転送スイッチTX」はオフとなり，「フォトダイオードPD」のカソード側に「光信号電荷」が蓄積される。
イ　そして，引用文献１の「リセットMOSトランジスタM1のゲートへのパルスφRESa、垂直信号線リセットMOSトランジスタM8のゲートパルスφVRES、がローレベルとなり、M1のゲートと垂直信号線のリセットが解除される（t3）。」（段落【００２２】）の記載，及び，【図３】における信号「φRESa」に対応する「RESa」は，OR回路を通じて全ての「画素S11〜Smn」に入力される構成の記載から，引用文献１では，【図５】のt3の時点において，全ての「画素S11〜Smn」で，【図４】に示された「画素部構成部」の「リセットMOSトランジスタM1」がオフとなって，リセットが解除される。
ウ　その後，「時刻ｔ3から所定の時間後、φTXaを再度ハイレベルにしてフォトダイオードPDの電荷を増幅MOSトランジスタM3のゲートに転送する（ｔ4）。」（段落【００２２】）の記載，「光信号電荷を発生するフォトダイオードPD」（段落【００１８】）の記載，及び，【図３】の上記「ア」に記載された構成から，引用文献１では，【図５】のt4の時点において，全ての「画素S11〜Smn」で，【図４】に示された「画素部構成部」の「電荷転送スイッチTX」はオンとなり，「フォトダイオードPD」のカソード側に蓄積された「光信号電荷」が，「増幅MOSトランジスタM3」のゲートに転送される。
エ　「転送に十分な時間を経て、φTXaを再度ローレベルにしてフォトダイオードPDの電荷転送を終了する（ｔ5）。」（段落【００２３】）の記載，及び，【図３】の上記「ア」に記載された構成から，引用文献１では，【図５】のt5の時点において，全ての「画素S11〜Smn」で，【図４】に示された「画素部構成部」の「電荷転送スイッチTX」はオフとなり，「フォトダイオードPD」のカソード側に蓄積された「光信号電荷」の「増幅MOSトランジスタM3」のゲートへの転送が終了する。
オ　上記ア〜エで示したように，引用文献１では，【図５】のt2〜t5の「光電変換時間」（段落【００２３】）の間，全ての「画素S11〜Smn」において，t2の時点で同時に，「フォトダイオードPD」のカソード側に「光信号電荷」が蓄積され，その後，蓄積された「光信号電荷」が，t3の時点から同時に「増幅MOSトランジスタM3」のゲートに転送され，その後，t5の時点で同時に「光信号電荷」の「増幅MOSトランジスタM3」のゲートへの転送が終了する構成が記載されているといえる。
カ　「選択MOSトランジスタM2のゲートパルスφSEL1および、光信号転送MOSトランジスタM5のゲートパルスφTSがハイレベルとなる（t7）。これによって光信号電圧が光信号保持容量CTSに読み出される（t7〜t8）。」（段落【００２３】）の記載，及び，【図３】における信号「φSEL1」に対応する「SEL1」が，一行目の画素である「S11〜S1n」に入力される構成の記載から，引用文献１には，【図５】のt7の時点において，一行目の画素「S11〜S1n」で【図４】に示された「画素部構成部」の「選択MOSトランジスタM2」がオンとなり，一行目の各画素（S11〜S1n）の「増幅MOSトランジスタM3」のゲートに転送された「光信号電荷」に応じた信号が，「光信号電圧」として「増幅MOSトランジスタM3」のドレイン側から出力され，「光信号保持容量CTS」に蓄積されて，読み出される構成が記載されているといえる。
キ　【図１】及び段落【００１６】の記載から，「タイミング信号発生部」は，「タイミング信号発生器（TG）」を備えているものと認められる。
ク　なお，段落【００２３】の「光信号保持容量CTN」及び「ノイズ保持容量CTN」は，段落【００２４】の「ノイズ信号保持容量CTN」の誤記であり，段落【００２５】の「画素セルC21〜Cmn」は「画素セルS21〜Smn」の誤記であると認められる。
（３）上記（１）及び（２）からみて，引用文献１には，以下の発明が記載されている（以下，「引用発明」という。）。
「バーコード読み取り装置であって，
　光電変換により２次元画像を生成するためのCMOS型のイメージセンサーであって，ｍ行×ｎ列の画素S11〜Smnから成る撮像素子部のイメージセンサー6と，
　被写体像をセンサー面に結像するためのレンズ部1と，
　撮影対象物を十分な光量で均一に照らすための赤色発光ダイオード（LED）2〜5と，
　タイミング信号発生部に送る光電変換時間の情報を決定するシステム制御部8と，
　イメージセンサー6に駆動クロックを供給するタイミング信号発生部のタイミング信号発生器（TG）7と，
を有し，
　各画素の増幅MOSトランジスタM3のゲートとフォトダイオードPDが電圧VRに，垂直信号線V1〜Vnが電圧VVRにリセットされ，
　LEDを点灯し(t1)，
　全ての画素S11〜Smnにおいて，同時に，フォトダイオードPDのカソード側に光信号電荷が蓄積され，その後，蓄積された光信号電荷が，同時に増幅MOSトランジスタM3のゲートに転送され，その後，同時に光信号電荷の増幅MOSトランジスタM3への転送が終了し(t2〜t5)，
　電荷転送終了後にLEDを消灯し（t6），
　第1行目の画素S11〜S1nの光信号電圧が光信号保持容量CTSに読み出され(t7〜t8)，
　ノイズ電圧がノイズ信号保持容量CTNに読み出され(t11〜t12)，
　ノイズ信号保持容量CTNと光信号保持容量CTSに保持されていた電圧が順次差動回路ブロックに読み出され，光信号とノイズ信号との差がとられ，出力端子VOUTに順次出力され(t14〜t15)，
　以下同様に，垂直走査回路ブロックVSRからの信号によって，第2行目〜第ｍ行目に接続された画素S21〜Smnの信号が順次読み出され，全画素の読み出しが完了する装置。」
２　引用文献２の記載
（１）　引用文献２には，以下の事項が記載されている。
「[0002] This invention relates generally to optical readers and specifically to an optical reader configured to take pictures.」
（当審訳：本発明は、一般的には光学読取装置に関し、特定的には、写真を撮影するように構成された光学読取り装置に関するものである。）
「［0030］ An imaging module 50 which may be incorporated into a reader housing to form an optical reader is described with reference to FIGS. 3a-3d. 
Imaging module 50 may be an IT 4000 imaging module of the type available from Hand Held Products, Inc. of Skaneateles Falls, N.Y. IT4000 imaging modules available from Hand Held Products, Inc. are available with associated decode circuits which may be actuated to decode a decodable indicia, such as bar code indicia, within a captured image.
Imaging module 50 includes a support 80 having a containment 81 containing image sensor 32 incorporated on chip 182, and a retainer section 82 retaining a lens assembly 40 provided by a lens barrel. Lens assembly 40 includes a lens or lenses which focus images from a substrate (as seen in FIG. 3b) onto image sensor 32
（当審訳：光学読取装置を形成する為に読み取り装置ハウジングに組み込まれる撮像モジュール５０を，図３ａ−３ｄを参照して説明する。
撮像モジュール50は，N.Y.州Skaneateles Fallsのハンドヘルドプロダクツ社から入手可能なタイプのIT 4000 撮像モジュールであってもよく，ハンドヘルドプロダクツ社から入手可能なIT 4000 撮像モジュールは，撮像された画像内に，バーコード標識のような，復号可能な標識を復号するように作動することができる関連したデコード回路を利用可能である。
撮像モジュール50は，チップ182に内蔵された画像センサ32を含む収容部81と，レンズバレルによって提供されるレンズアセンブリ40を保持する保持部82とを有する支持体80を備えている。レンズアセンブリ40は，（図３ｂに見られるように）基板から画像センサ３２上に，画像の焦点を合わせるための１つまたは複数のレンズを備えている。
（２）上記（１）より，引用文献２にはバーコードを読み取る光学読取装置として，以下の事項が記載されている（以下，「引用文献２記載事項」という。）。
「バーコード標識を復号可能な撮像モジュール50は，チップ182に内蔵された画像センサ32を含む収容部81と，レンズバレルによって提供される１つまたは複数のレンズを備えるレンズアセンブリ40を保持する保持部82とを有する支持体80を備えた，バーコードを読み取る光学読取装置。」
第５　対比
　本願発明と引用発明を対比すると，以下のとおりとなる。
１　引用発明の「バーコード読み取り装置」及び「撮影対象物を十分な光量で均一に照らすための赤色発光ダイオード（LED）2〜5」は，それぞれ本願発明の「バーコードを読み取る際に使用するための装置」及び「照明パターンを投射するのに使用するための照明光源であって、前記照明光源が、発光ダイオードからなる、照明光源」に相当する。
２　引用発明の「イメージセンサ6」は，「光電変換により２次元画像を生成するためのCMOS型のイメージセンサーであって，ｍ行×ｎ列の画素S11〜Smnから成る」ものであり，引用発明の「イメージセンサー6」が「CMOS型のイメージセンサーであ」ることは，本願発明の「前記２次元イメージセンサアレイは相補型金属酸化物半導体からな」ることに相当し，また，引用発明の「イメージセンサー6」が「ｍ行×ｎ列の画素S11〜Smnから成る」ことは，本願発明の「前記２次元イメージセンサアレイは行のピクセルを包含する」ことに相当する。
　そうすると，引用発明の「イメージセンサー6」は，本願発明の「２次元イメージセンサアレイ」に相当する。また，引用発明の「被写体像をセンサー面に結像するためのレンズ部」は，「前記２次元イメージセンサアレイに光を焦点合わせるす撮像レンズ」に相当する。
３　引用発明のt2〜t5の期間は，引用文献１の段落【００２３】に「t2からt5の間が光電変換時間となる。」と記載されていることから，本願発明の「露光期間」に相当する。そして，引用発明では，「全ての画素S11〜Smnにおいて，同時に，フォトダイオードPDのカソード側に光信号電荷が蓄積され，その後，蓄積された光信号電荷が，同時に増幅MOSトランジスタM3のゲートに転送され，その後，同時に光信号電荷の増幅MOSトランジスタM3への転送が終了」することから，全ての画素S11〜Smnは，「露光期間」に同時に露光されるので，引用発明も「露光期間中に同時に、前記２次元イメージセンサアレイの複数の行のピクセルを露光する」ものであるといえる。
　また，引用発明の「全ての画素S11〜Smn」はt2時点で同時に露光が開始されることになるので，引用発明も「２次元イメージセンサアレイにおける複数の行のピクセルの露光が同時に開始される」ものであるといえる。
４　引用発明の「全ての画素S11〜Smnにおいて，同時に，フォトダイオードPDのカソード側に光信号電荷が蓄積され，その後，蓄積された光信号電荷が，同時に増幅MOSトランジスタM3のゲートに転送され，その後，同時に光信号電荷の増幅MOSトランジスタM3への転送が終了」とは，全画素において，同時に露光が開始され，かつ，同時に露光が終了することになるので，引用発明もグローバルシャッターを実現しているものと認められる。
　そうすると，引用発明の「タイミング信号発生部に送る光電変換時間の情報を決定するシステム制御部8と，イメージセンサー6に駆動クロックを供給するタイミング信号発生部のタイミング信号発生器（TG）7」は，引用発明の光信号電荷が蓄積及び転送を制御することで上記のグローバルシャッターを実現する制御部を構成しているといえるので，引用発明の「タイミング信号発生器（TG）7」及び「システム制御部8」は，本願発明の「グローバル電子シャッター制御モジュール」に相当する。
５　引用発明の「赤色発光ダイオード（LED）2〜5」は，光信号電荷の蓄積を開始するt2時点より前のt1時点に点灯し，光信号電荷の蓄積が終了するt5時点より後のt6時点に消灯しており，引用発明の「露光期間」(t2〜t5)と部分的に重なるから，引用発明も，本願発明の「照明期間の間に、前記発光ダイオードを同時に駆動することができ、露光期間と照明期間との間の調整が少なくとも部分的に時間がオーバーラップする照明期間と露光期間」と同様の期間を有していると認められる。
６　したがって，本願発明と引用発明とは，以下の点で一致し，又相違する。
［一致点］
「バーコードを読み取る際に使用するための装置であって，該装置が，
　２次元イメージセンサアレイであって，前記２次元イメージセンサアレイは相補型金属酸化物半導体からなり，前記２次元イメージセンサアレイは行のピクセルを包含する，２次元イメージセンサアレイと，
　前記２次元イメージセンサアレイに光を焦点合わせする撮像レンズと，
　照明パターンを投射するのに使用するための照明光源であって，前記照明光源が，発光ダイオードからなる，照明光源と，
　露光期間中に同時に，前記２次元イメージセンサアレイの複数の行のピクセルを露光するように配置されたグローバル電子シャッター制御モジュールであって，２次元イメージセンサアレイにおける複数の行のピクセルの露光が同時に開始されるように，グローバル電子シャッター制御モジュールが２次元イメージセンサアレイを制御するように構成される，グローバル電子シャッター制御モジュールと
を有し，
　該装置が，照明期間の間に，前記発光ダイオードを同時に駆動することができ，露光期間と照明期間との間の調整が少なくとも部分的に時間がオーバーラップする照明期間と露光期間とによって特徴づけられることを特徴とする装置。」
［相違点］
　本願発明が「サポートアセンブリであって、前記サポートアセンブリは前記撮像レンズをサポートするためのレンズホルダーを包含する、サポートアセンブリ」を有しているのに対して，引用発明は対応する構成を備えているのか定かでない点。
第６　判断
１　［相違点］について
　バーコードを読み取る光学読取装置は，そもそもレンズを介してイメージセンサーにバーコードの画像を撮像するものであるから，光学読取装置においてレンズを保持する構成を備えていることは自明である。そして，バーコードを読み取る光学読取装置のレンズを保持する具体的構成として，引用文献２に「バーコードを復号可能な撮像モジュール50は，チップ182に内蔵された画像センサ32を含む収容部81と，レンズバレルによって提供される１つまたは複数のレンズを備えるレンズアセンブリ40を保持する保持部82と有する支持体80を備えたバーコードを読み取る光学読取装置。」が記載されているように，複数のレンズを保持するものとして「レンズアセンブリ40」を備え，レンズアセンブリ40を包含するものとして「保持部82と有する支持体80」を備えることで，撮像レンズをサポートするためのレンズホルダー及びレンズホルダーを包含するサポートアセンブリを備えことは公知の技術と認められる。
　そうすると，「バーコード読み取り装置」である引用発明においても，「レンズ部1」のレンズを保持するための構成は必要であることから，該保持するための構成として引用文献２記載事項にある公知の技術を採用して，［相違点］に係る構成を備えるようにすることは，当業者が適宜為し得る事項である。
２　請求人の主張について
（１）　請求人は平成３１年１月１８日提出の意見書において
「４−３−２．本願発明１に対する引用文献１及び２の組合せによる進歩性欠如の論理付けの非妥当性について
　審判官殿は、拒絶理由通知書において、引用文献１には、「撮像レンズをサポートするためのレンズホルダーを包含するサポートアセンブリ」に係る構成を除き、その余の構成は開示されていると指摘されている。
　しかしながら、審判官殿の御指摘には、承服できるものではない。以下、その理由を詳述する。
　引用文献１には、少なくとも、本願発明１の構成要件Ｆの『露光期間中に同時に、前記２次元イメージセンサアレイの複数の行のピクセルを露光するように配置されたグローバル電子シャッター制御モジュールであって、２次元イメージセンサアレイにおける複数の行のピクセルの露光が同時に開始されるように、グローバル電子シャッター制御モジュールが２次元イメージセンサアレイを制御するように構成される、グローバル電子シャッター制御モジュール』に係る構成は開示されていない。
　即ち、引用文献１の図５及び関連する明細書の段落〔００２０〕〜〔００２５〕には概略以下のような記載がある（下線付加）。
『〔００２０〕図３の転送MOSトランジスタTXのゲートを一行目からｍ行目までの全ての画素について同時に選択する信号TXaが、各行ごとに全ての画素を選択する信号の転送パルスTX1〜TXnとのOR回路を通して各転送MOSトランジスタTXに接続されている。また、全ての画素の増幅MOSトランジスタM3のゲートを同時にリセットするために、一行目からｍ行目までの全ての画素のリセットMOSトランジスタM1のゲートを同時に選択する信号RESaが、各行ごとに全ての画素をリセットするパルスRES1〜RESnとのOR回路を通して各リセットMOSトランジスタM1に接続されている。
〔００２１〕このイメージセンサにおいて、まず
リセットMOSトランジスタM1のゲートへのパルスφRESa、転送MOSトランジスタTXのゲートパルスφTXaおよび、垂直信号線リセットMOSトランジスタM8のゲートへのパルスφVRESがハイレベルとなる。これによって、増幅MOSトランジスタM3のゲートとフォトダイオードPDが電圧VRに、垂直信号線V1〜Vnが電圧VVRにリセットされる
〔００２２〕次に、
φTXaがローレベルになりフォトダイオードPDには光に応じた電荷の発生が可能になる（ｔ2）
M1のゲートと垂直信号線のリセットが解除される（t3）。時刻ｔ3から所定の時間後、φTXaを再度ハイレベルにしてフォトダイオードPDの電荷を増幅MOSトランジスタM3のゲートに転送する（ｔ4）
〔００２３〕
転送に十分な時間を経て、φTXaを再度ローレベルにしてフォトダイオードPDの電荷転送を終了する（ｔ5）
選択MOSトランジスタM2のゲートパルスφSEL1および、光信号転送MOSトランジスタM5のゲートパルスφTSがハイレベルとなる（t7）。これによって光信号電圧が光信号保持容量CTSに読み出される（t7〜t8）。容量CTSに読み出した後、リセットMOSトランジスタM1のゲートへのパルスφRES1、垂直信号線リセットMOSトランジスタM8のゲートパルスφVRESがハイレベルとなり、M1のゲートと垂直信号線がリセットされる（t9）。続いてφRES1とφVRESがローレベルとなり（t10）、M1のゲートと垂直信号線のリセットが解除された後、選択MOSトランジスタM2のゲートパルスφSEL1および、ノイズ信号転送MOSトランジスタM4のゲートパルスφTNがハイレベルとなる（t11）。これによってノイズ電圧が光信号保持容量CTNに読み出される（t11〜t12）。この後、水平走査回路ブロックHSRからの信号H1〜Hnによって、各列の水平転送スイッチM6、M7のゲートが順次ハイレベルとなり（t14〜t15）、ノイズ保持容量CTNと光信号保持容量CTSに保持されていた電圧が順次差動回路ブロックに読み出される。
〔００２４〕以上で、第１行目に接続された画素セルの読み出しが完了する。この後、第２行目の読み出しに先立って、ノイズ信号保持容量CTNおよび光信号保持容量CTSのリセットスイッチM9、M10のゲートへのφCTRがハイレベルとなり、VRCTにリセットされる。
〔００２５〕以下同様に、垂直走査回路ブロックVSRからの信号によって、第2行目〜第ｍ行目に接続された画素セルC21〜Cmnの信号が順次読み出され、全画素セルの読み出しが完了する。』
　審判官殿は、期間t2〜t5に全てのピクセルの露光が行われる旨指摘されている。その一方で、期間t7〜t15において、ピクセルの第１行のみの読出しがなされ、その後、順次、第２行以降の読出しがなされる旨、指摘されている。
　しかしながら、審判官殿は、少なくとも期間t7〜t15がピクセルの第１行にのみ適用されることや、図５に示されるピクセルの第２行〜第ｍ行に対する相応するタイミングが全く示されていないことを認める一方で、アレイ中の全てのピクセルに対し、図５に係る記述をどのように適用し得るのか（或いは、ピクセルの全てが、どのように同時に動作することが示されているといい得るのか）、説明してはいない。
　したがって、引用文献１が本願発明１と同様の露光動作を行うとの審判官殿の御指摘は妥当なものとはいえない。
　以上のとおりであるから、本願発明１は、引用文献１及び２に記載の発明に基づいて当業者が容易に想到し得たものではなく、特許法第２９条第２項に該当しないものである。」
旨主張している。
（２）　そこで，上記主張について検討する。
　請求人の主張は，要するに，ピクセルの第２行〜第ｍ行に対して図５にはタイミングが示されていないので，引用文献１から本願発明が同様の露出動作を行うとの判断は妥当ではないというものである。
　しかしながら，本願発明には，「露光期間中に同時に、前記２次元イメージセンサアレイの複数の行のピクセルを露光するように配置されたグローバル電子シャッター制御モジュールであって、２次元イメージセンサアレイにおける複数の行のピクセルの露光が同時に開始されるように、グローバル電子シャッター制御モジュールが２次元イメージセンサアレイを制御するように構成される、グローバル電子シャッター制御モジュールとを有」することは記載されているものの，露光期間後に各行からどのように処理により露光したデータを出力するかは特定されていないことから，上記請求人の主張は請求項の記載に基づかないものである。
　なお，引用文献１の段落【００２５】の「以下同様に、垂直走査回路ブロックVSRからの信号によって、第2行目〜第ｍ行目に接続された画素セルC21〜Cmnの信号が順次読み出され、全画素セルの読み出しが完了する。」に基づけば，ピクセルの第２行〜第ｍ行においても第１行と同様にして順次読み出されることは明らかであるから，請求人の上記主張自体も根拠がなく採用することはできない。
３　まとめ
　したがって，本願発明は，引用文献１に記載された発明及び引用文献２に記載された事項に基づいて当業者が容易に発明できたものである。
第７　むすび
　以上のとおり，本願発明は，その優先権主張日前に日本国内又は外国において，頒布された又は電気通信回線を通じて公衆に利用可能となった引用文献１に記載された発明及び引用文献２に記載された事項に基づいて，その出願前にその発明の属する技術の分野における通常の知識を有する者が容易に発明をすることができたものであるから，特許法第２９条第２項の規定により特許を受けることができない。
　したがって，他の請求項に係る発明について検討するまでもなく，本願は拒絶すべきものである。
　よって，結論のとおり審決する。